(57)【要約】【課題】心棒にマンドレルリングを安定して固定でき、かつメンテナンスを簡単に行える押出ダイスを提供する。【解決手段】ダイスの基盤部（21）から突出して押出材の内面を成形するマンドレル（30）が、前記基盤部（21）に対して着脱自在に取り付けられる心棒（31）と、該心棒（31）に外嵌めされるマンドレルリング（38）とを有し、前記マンドレルリング（38）が心棒（31）よりも熱膨張係数の小さい材料で構成され、前記心棒（31）の外周面およびマンドレルリング（38）の内周面が、マンドレルリング（38）を心棒（31）に外嵌めした状態において、常温時に両者間に隙間があり、押出時のダイス温度において、マンドレル（30）の軸線方向の少なくとも一部においてその隙間が無くなって両者が接触するように設定されている。【選択図】  図１
2011056525.tif 000002
【特許請求の範囲】
【請求項１】
ダイスの基盤部から突出して押出材の内面を成形するマンドレルが、前記基盤部に対して着脱自在に取り付けられる心棒と、該心棒に外嵌めされるマンドレルリングとを有し、
前記マンドレルリングが心棒よりも熱膨張係数の小さい材料で構成され、
前記心棒の外周面およびマンドレルリングの内周面が、マンドレルリングを心棒に外嵌めした状態において、常温時に両者間に隙間があり、押出時のダイス温度において、マンドレルの軸線方向の少なくとも一部においてその隙間が無くなって両者が接触するように設定されていることを特徴とする押出ダイス。
【請求項２】
前記心棒の着脱は、心棒および基盤部のうちのいずれか一方に設けられた凸部と他方に設けられた凹部との結合および結合解除によって行われ、
前記凸部の基端側および前記凸部の開口側において、該凸部の外周面と凹部の内周面とが平行となる芯合わせ部が設けられている請求項１に記載の押出ダイス。
【請求項３】
押出時のダイス温度において、前記心棒とマンドレルリングの接触面が、マンドレルの軸線に対し、押出の下流側に向かって外向きに傾斜する傾斜面となる請求項１または２に記載の押出ダイス。
【請求項４】
常温時において、マンドレルの軸線に対し、前記マンドレルリングの内周面および前記心棒の外周面のうちの少なくとも一方が下流側に向かって外向きに傾斜するテーパー面で形成されている請求項３に記載の押出ダイス。
【請求項５】
常温（Ｔ１）時の隙間が最小となる部分において、押出時のダイス温度（Ｔ２）における心棒とマンドレルリングとの締め代（ＸＴ２）が下記式で表されるとき、常温（Ｔ１）時における前記心棒の外径（ＡＴ１）およびマンドレルリングの内径（ＢＴ１）が前記締め代（ＸＴ２）が０〜０．３％となるように設定されている請求項１〜４のいずれかに記載の押出ダイス。
ＸＴ２＝{〔ＡＴ１×(Ｔ２−Ｔ１)×α１＋ＡＴ１〕/〔ＢＴ１×(Ｔ２−Ｔ１)×α２＋ＢＴ１〕−1}×100
ただし、α１：心棒を構成する材料の熱膨張係数
α２：マンドレルリングを構成する材料の熱膨張係数（α１＞α２）
Ｔ１：常温
Ｔ２：押出時のダイス温度（＞Ｔ１）
ＡＴ１：常温（Ｔ１）時の心棒の外径
ＢＴ１：常温（Ｔ１）時のマンドレルリングの内径（＞ＡＴ１）
【請求項６】
請求項１〜５のいずれかに記載の押出ダイスを用い、心棒とマンドレルリングとの間の軸線方向の少なくとも一部において隙間が無くなる温度で押出を行うことを特徴とする押出方法。
【発明の詳細な説明】
【技術分野】
【０００１】
この発明は、中空材の押出加工に用いる押出ダイスおよびその関連技術に関する。
【０００２】
なお、本明細書および特許請求の範囲の記載において、押出材および押出材料の進む方向を下流または下流側と称し、逆方向を上流または上流側と称する。
【背景技術】
【０００３】
押出ダイスにおいては、ベアリング部に耐摩耗性を与えるために、ベアリング部を含むダイスの一部に超硬合金やセラミック等の超硬材料が用いられている（特許文献１、２参照）。
【０００４】
特許文献１には、工具鋼からなるダイケースの凹部内に超硬材料からなるリング状ダイスを焼嵌めしたダイスが記載されている。特許文献２には、マンドレルの心棒を工具鋼で形成し、この心棒に超硬材料からなるマンドレルリングを外嵌めし、心棒の先端に抜け止め用ナットを取り付けてマンドレルリングを心棒に固定するように構成したポートホールダイスの雄型が記載されている。
【先行技術文献】
【特許文献】
【０００５】
【特許文献１】特開平６−１５３４８号公報
【特許文献２】特開２００３−１８１５２５号公報
【発明の概要】
【発明が解決しようとする課題】
【０００６】
しかし、超硬材料を焼嵌めするタイプのダイスは、押出の準備工程やメンテナンスに手間がかかるという問題点がある。
【０００７】
また、超硬材料は工具鋼よりも熱膨張係数が小さく、かつ工具鋼よりも引張力に弱いという特性がある。このため、工具鋼からなる心棒に超硬材料からなるマンドレルリングを外嵌めする場合、熱間押出時に心棒が膨張し、マンドレルリングに対する締め付け力が強すぎると破損するおそれがある。逆に、締め付け力が弱すぎると、マンドレルリングがしっかりと固定されず、押出材の押継ぎ部に波打ちが発生したり、偏肉するおそれがある。また、押出材料の流れによってマンドレルリングが心棒から外れるおそれがある。
【課題を解決するための手段】
【０００８】
本発明は、上述した技術背景に鑑み、適正な締め代を設定して心棒にマンドレルリングを安定して固定でき、かつメンテナンスを簡単に行える押出ダイスおよびその周辺技術の提供を目的とする。
【０００９】
即ち、本発明は［１］〜［６］に記載の構成を有する。
［１］  ダイスの基盤部から突出して押出材の内面を成形するマンドレルが、前記基盤部に対して着脱自在に取り付けられる心棒と、該心棒に外嵌めされるマンドレルリングとを有し、
前記マンドレルリングが心棒よりも熱膨張係数の小さい材料で構成され、
前記心棒の外周面およびマンドレルリングの内周面が、マンドレルリングを心棒に外嵌めした状態において、常温時に両者間に隙間があり、押出時のダイス温度において、マンドレルの軸線方向の少なくとも一部においてその隙間が無くなって両者が接触するように設定されていることを特徴とする押出ダイス。
【００１０】
［２］前記心棒の着脱は、心棒および基盤部のうちのいずれか一方に設けられた凸部と他方に設けられた凹部との結合および結合解除によって行われ、
前記凸部の基端側および前記凸部の開口側において、該凸部の外周面と凹部の内周面とが平行となる芯合わせ部が設けられている前項１に記載の押出ダイス。
【００１１】
［３］  押出時のダイス温度において、前記心棒とマンドレルリングの接触面が、マンドレルの軸線に対し、押出の下流側に向かって外向きに傾斜する傾斜面となる前項１または２に記載の押出ダイス。
【００１２】
［４］常温時において、マンドレルの軸線に対し、前記マンドレルリングの内周面および前記心棒の外周面のうちの少なくとも一方が下流側に向かって外向きに傾斜するテーパー面で形成されている前項３に記載の押出ダイス。
【００１３】
［５］常温（Ｔ１）時の隙間が最小となる部分において、押出時のダイス温度（Ｔ２）における心棒とマンドレルリングとの締め代（ＸＴ２）が下記式で表されるとき、常温（Ｔ１）時における前記心棒の外径（ＡＴ１）およびマンドレルリングの内径（ＢＴ１）が前記締め代（ＸＴ２）が０〜０．３％となるように設定されている前項１〜４のいずれかに記載の押出ダイス。
ＸＴ２＝{〔ＡＴ１×(Ｔ２−Ｔ１)×α１＋ＡＴ１〕/〔ＢＴ１×(Ｔ２−Ｔ１)×α２＋ＢＴ１〕−1}×100
ただし、α１：心棒を構成する材料の熱膨張係数
α２：マンドレルリングを構成する材料の熱膨張係数（α１＞α２）
Ｔ１：常温
Ｔ２：押出時のダイス温度（＞Ｔ１）
ＡＴ１：常温（Ｔ１）時の心棒の外径
ＢＴ１：常温（Ｔ１）時のマンドレルリングの内径（＞ＡＴ１）
【００１４】
［６］前項１〜５のいずれかに記載の押出ダイスを用い、心棒とマンドレルリングとの間の軸線方向の少なくとも一部において隙間が無くなる温度で押出を行うことを特徴とする押出方法。
【発明の効果】
【００１５】
上記［１］に記載の発明の押出用ダイスは、マンドレルの心棒がダイスの基盤部に対して着脱自在であるため、心棒の交換やメンテナンスを簡単に行える。また、前記常温時において、心棒とマンドレルリングとの間に隙間があるのでマンドレルリングの心棒への着脱が容易であり、マンドレルリングの交換等のメンテナンスを簡単に行える。一方、押出時のダイス温度では、心棒とマンドレルリングとの熱膨張係数の差により両者の間に隙間が無くなり、マンドレルリングは心棒が膨張しようとする径方向の力によって締め付けられて心棒に固定される。このように、マンドレルリングが心棒に固定された状態で押出を行うと、押出材の偏肉が抑制されて高品質の押出材を製造することができる。
【００１６】
上記［２］に記載の発明によれば、心棒とダイスの基盤部との芯合わせを高精度に行え、ひいては押出材の偏肉が抑制される。
【００１７】
上記［３］に記載の発明によれば、押出時のダイス温度における心棒とマンドレルリングとの接触面が、マンドレルの軸線に対し、押出の下流側に向かって外向きに傾斜する傾斜面であるため、押出材料の流れがマンドレルリングを下流側へ押そうとしても、外向きの傾斜面がその動きを阻止する方向に作用して抜け止め効果を奏する。従って、マンドレルリングの動きが抑制されて高い固定安定性が得られる。
【００１８】
上記［４］に記載の発明によれば、押出時のダイス温度において下流側に向かって外向きに傾斜する接触面を形成することができ、上記の効果を奏することができる。また、心棒がダイスの基盤部に対して着脱自在であり、心棒の上流側からマンドレルリングを嵌めることができる。このため、組み立ての可否によってテーパー角度が制限されることがなく、接触面の傾斜角度を大きくすることで軸線方向におけるマンドレルリングの固定安定性の向上を図ることができる。
【００１９】
上記［５］に記載の発明によれば、押出時のダイス温度における心棒とマンドレルリングとの間の締め代（ＸＴ２）が適正範囲に設定されているので、安定した固定状態が得られ、かつマンドレルリングの破損を回避できる。
【００２０】
上記［６］に記載の発明によれば、押出はマンドレルリングが心棒に固定された状態で行われているので、偏肉が抑制された高品質の押出材を製造することができる。
しかも、押出時のダイス温度における心棒とマンドレルリングとの接触面は、マンドレルの軸線に対し、押出の下流側に向かって外向きに傾斜する傾斜面であるため、押出材料の流れがマンドレルリングを下流側へ押そうとしても、外向きの傾斜面がその動きを阻止する方向に作用して抜け止め効果を奏する。従って、マンドレルリングの動きが抑制されて高い固定安定性が得られる。
【図面の簡単な説明】
【００２１】
【図１】本発明の一実施形態である雄型を備えるポートホールダイスを示す分解斜視図である。
【図２】図１のポートホールダイスの組み付け状態を示す断面図である。
【図３】雄型の分解状態を示す要部断面図である。
【図４Ａ】常温時のマンドレルを示す断面図である。
【図４Ｂ】押出時のダイス温度におけるマンドレルを示す断面図である。
【図４Ｃ】常温時のマンドレルの他の状態を示す断面図である。
【図５】温度と、心棒の本体部の外径およびマンドレルリングの内径との関係を示す図である。
【図６】押出時のダイス温度におけるマンドレルを示す断面図である。
【図７Ａ】マンドレルの他の実施形態を示す分解図である。
【図７Ｂ】図７Ａのマンドレルの常温時の組み立て状態を示す断面図である。
【図７Ｃ】図７Ａのマンドレルの押出時のダイス温度における状態を示す断面図である。
【図８】マンドレルのさらに他の実施形態を示す分解図である。
【発明を実施するための形態】
【００２２】
図１〜３に示すポートホールダイス（10）は、中空押出材（1）の外周面を成形する雌型（11）と内周面を成形する雄型（20）とが組み合わされてなり、前記雄型（20）が本発明の押出ダイスの一実施形態である。
【００２３】
雌型（11）は、中央部にベアリング孔（12）を有し、ベアリング孔（12）の下流側にはリリーフ孔（13）が形成され、上流側には溶着室用凹部（14）が形成されている。
【００２４】
前記雄型（20）は、ダイスの基盤部（21）の中央から下流側にマンドレル（30）が突出し、このマンドレル（30）の周囲に押出方向に貫通する複数個のポートホール（22）を有している。隣接するポートホール（22）（22）間には、下流側に突出する前記マンドレル（30）をその基端部で支持する脚部（23）が形成されている。
【００２５】
前記マンドレル（30）は、ダイスの基盤部（21）から一体に続く台座（24）よりも径小でかつ台座（24）に対して着脱自在に取り付けられる心棒（31）とこの心棒（31）に外嵌めされるマンドレルリング(38)とにより構成されている。
【００２６】
前記心棒（31）はボルト形であり、マンドレルリング（38）の装着部位である本体部（32）の上流側には、心棒（31）を台座（24）に取り付けるための凸部（33）が該本体部（32）と同軸状に設けられ、下流側には、マンドレルリング（38）を抑える頭部（34）が設けられている。一方、マンドレルリング（38）は、外周面に、押出材（1）の内周面を成形するベアリング部（39）が突設された環状体である。そして、心棒（31）の凸部（33）側からマンドレルリング（38）を嵌め、凸部（33）を台座（24）に取り付けると、本体部（32）に外嵌めされたマンドレルリング（38）は台座（24）の先端面と心棒（31）の頭部（34）との間に挟まれて軸線方向の所定位置に配置される。
【００２７】
本発明においては、前記心棒（31）およびマンドレルリング（38）の材料と形状の両面により、押出時のダイス温度において、マンドレルリング（38）が心棒（31）に固定されるように構成している。前記心棒（31）およびマンドレルリング（38）の材料特性および形状については後に詳述する。本発明における「押出時のダイス温度」とは、心棒およびマンドレルリングが高温押出時に所定の温度となり、そのときの温度をいう。
【００２８】
前記雌型（11）と雄型（20）とを組み合わせると、雌型（11）のベアリング孔（12）内に雄型（20）のマンドレルリング（38）のベアリング部（39）が嵌り込んでこれらの間に環状の成形用間隙（符号なし）が形成され、雌型（11）の溶着室用凹部（14）の一部が雄型（20）の端面で塞がれてポートホール（22）に連通する溶着室を形成する。そして、各ポートホール（22）に流入した押出材料は溶着室で合流し、成形用間隙から中空部（2）を有する押出材（1）として押出される。
【００２９】
本発明は、マンドレルを構成する心棒およびマンドレルリングの材料および形状に主要な特徴を有し、これらによってマンドレルリングを所定位置に安定して固定できる。以下に、マンドレルリングおよび心棒の材料および形状、固定方法について詳述する。
〔マンドレルの材料〕
前記マンドレル（30）において、マンドレルリング（38）を構成する材料は耐摩耗性に優れ、かつその熱膨張係数（α２）と心棒（31）を構成する材料の熱膨張係数（α１）とがα１＞α２の関係を満足するものであれば特に限定されない。本実施形態においては、心棒（31）が工具鋼で形成されているのに対し、マンドレルリング（38）は前記工具鋼よりも耐摩耗性の高い超硬材料で構成されている。超硬材料としては、ＷＣ−Ｃｏ等の超硬合金、高速度工具鋼、粉末高速度工具鋼、セラミックス等を例示できる。表１に、これらの超硬材料および工具鋼の一例およびそれらの熱膨張係数を示す。なお、心棒（31）およびマンドレルリング（38）の熱膨張係数がα１＞α２の関係を満足すれば良いので、例示した材料は表１に記載した用途に限定されない。例えば、粉末高速度工具鋼の心棒に超硬合金やセラミックスのマンドレルリングを組み合わせる場合も本発明に含まれる。
【００３０】
なお、前記ダイスの基盤部（21）は心棒（31）と同一または同等の材料で構成されている。
【００３１】
【表１】
2011056525.tif 000003
【００３２】
本発明において、マンドレルリングとして心棒よりも熱膨張係数の小さい材料を用いることにより、押出時の加工発熱によるマンドレルリングの膨張率が小さくなるため、押出材はより安定した寸法のものを得ることができる。即ち、心棒（工具鋼）に熱膨張係数の小さいマンドレルリングを組み合わせたマンドレルでは、押し出していない時と加工発熱最大時との外径差が、工具鋼のみで製作したマンドレルにおける外径差よりも小さくなるので、押出材の肉厚が安定する。また、押出材の寸法が安定していると、後加工後の製品品質も安定したものとなる。
【００３３】
〔マンドレルの形状と組み立て〕
図３および図４Ａは、常温（Ｔ１）時におけるマンドレル(30)の要部断面図である。
【００３４】
心棒（31）は、本体部（32）の上流側に凸部（33）を有し、下流側に頭部（34）を有している。前記本体部（32）は円柱形であり、その外周面（32a）は心棒（31)の軸線、即ちマンドレル（30）の軸線に対して平行である。前記凸部（33）は本体部（32）よりも径小であり、本体部（32）に続く部分が円柱形の芯合わせ部（35）であり、その外周面は心棒（31)の軸線、即ちマンドレルの軸線に平行である。この芯合わせ部（35）の上流側はさらに径小となされた雄ねじ部（36）である。前記頭部（34）はマンドレルリング（38)の内径よりも大きく、本体部（32）に嵌めたマンドレルリング（38）を下流側から抑えるものである。また、前記頭部（34）は本体部（32）に続く部分に径大の鍔部（37）が形成されている。
【００３５】
マンドレルリング（38）は、外周面に、押出材（1）の内周面を成形するベアリング部（39）が突設された環状体である。また、その内周面（38a）はマンドレル（30）の軸線に平行であり、常温（Ｔ１）における内径（ＢＴ１）は心棒（31）の本体部（32）の外径（ＡＴ１）よりも大きい寸法に設定されている。
【００３６】
一方、台座(24)の先端面には、心棒（31）の凸部（33）に対応する凹部（25）が設けられている。前記凹部（25）は、開口側（下流側）が軸線に平行な内周面を有し心棒（31)の芯合わせ部（35）に対応する芯合わせ部（26）であり、奥側（上流側）が心棒（31)の雄ねじ部（36）に対応する雌ねじ部（27）である。この台座（24）の芯合わせ部（26）の内周面および前記心棒（31）の芯合わせ部（35）の外周面はいずれもマンドレル（30）の軸線に平行であるからこれらの芯合わせ部（35）（26）は平行である。
【００３７】
常温（Ｔ１）において、前記マンドレルリング（30）の組み立てを行う。前記心棒（31）の凸部（33）側からマンドレルリング（38）を本体部（32）に外嵌めし、凸部（33）を台座（24）の凹部（25）に挿入して雄ねじ部（36）を雌ねじ部（27）に螺合させて、心棒（31）を台座（24）に固定する。このとき、前記心棒（31）の芯合わせ部（35）と台座（24）の芯合わせ部（26）とが平行に組み付けられることで、心棒（31）の軸線は台座（24）の軸線に高精度で合わされる。即ち、心棒（31）の凸部（33）の外周面と台座（24）の凹部（25）の内周面とが平行となる芯合わせ部（35）（26）を設けることで、雄ねじ部（36）と雌ねじ部（27）との螺合のみで心棒（31）を取り付けるよりも、高精度で芯合わせがなされた状態に取り付けられて固定され、ひいては押出材の偏肉が抑制される。また、マンドレルリング（38）は台座（24）の先端面と心棒（31）の頭部（34）との間に挟まれて軸線方向の所定位置に配置される。
【００３８】
上述したマンドレル（30）の組み立てが完了しても、常温（Ｔ１）においては、心棒（31）の本体部（32）の外周面（32a）とマンドレルリング（38）の内周面（38a）との間には隙間（Ｓ１）が存在している。本実施形態において、前記隙間（Ｓ１）の大きさは軸線方向において一定である。
【００３９】
なお、図４Ａはマンドレルリング（38）の内周面（38a）と心棒（31）の本体部（32）の外周面（32a）との間の距離が周方向においても一定の大きさとした状態を示しているが、常温（Ｔ１）においてはマンドレルリング（38）と心棒（31）の軸合わせがなされていないので、両者間の距離は周方向で必ずしも一定にはならない。例えば、図示の姿勢でマンドレル（30）の組み立てを行うと、図４Ｃに示したように、マンドレルリング（38）の内周面（38a）の上部が心棒（31）の本体部（32）の外周面（32a）の上部に接触して両者間の距離はゼロであり、周方向に沿って下方にいくにつれて両者間の距離が拡大し、下部において距離が最大となる。また、マンドレルリング（38）は心棒（31）の頭部（34）で締め付けられて仮止めされた状態にあるので、全周において両者は接触していないが、両者間の距離には偏りがある、という場合もある。従って、本発明において「隙間がある」とは、マンドレルリング（38）と心棒（31）の本体部（32）との接触の有無を意味するのではなく、常温（Ｔ１）における心棒（31）の本体部（32）の外径（ＡＴ１）とマンドレルリング（38）の内径（ＢＴ１）とが「ＢＴ１＞ＡＴ１」なる関係を満足し、両者の間にクリアランスが存在することを意味する。また、マンドレルリング（38）と心棒（31）の本体部（32）とが上述したいずれの位置関係にある場合においても、本発明における隙間（Ｓ１）の大きさはマンドレルリング（38）の内径（ＢＴ１）と心棒（31）の本体部（32）の外径（ＡＴ１）との差（ＢＴ１−ＡＴ１）で表される。
【００４０】
また、後述する図６、図７Ｂにおいても、マンドレルリング（38）（44）の内周面（38a）（44a）と心棒（31）（41）の本体部（32）（42）の外周面（32a）（42a）との間の距離が周方向において一定とした例を示しているが、これらの態様においても両者が接触する部分を有していたり、周方向における両者間の距離に偏りがある場合もある。
【００４１】
常温（Ｔ１）時に心棒（31）とマンドレルリング（38）とを組み立てる際には、前記隙間（Ｓ１）があるのでマンドレルリング（38）を心棒（31）に外嵌めすることは容易である。さらに、心棒（31）を台座（24）に固定して頭部（34）でマンドレルリング（38）を抑えると、心棒（31）の本体部（32）には押出方向の引張力が生じ、マンドレルリング（38）には押出方向の圧縮力が生じる。
【００４２】
〔マンドレルリングの径方向における固定〕
図５は、温度（Ｔ）に対する心棒（31）の本体部（32）外径（Ａ）およびマンドレルリング（38）の内径（Ｂ）の変化を示したものでる。
【００４３】
図５に示すように、心棒（31）およびマンドレルリング（38）はいずれも熱膨張により寸法が拡大する（ＡＴ、ＢＴ）。常温（Ｔ１）において、マンドレルリング（38）の内径（ＢＴ）は心棒（31）の本体部（32）の外径（ＡＴ）よりも大きく、両者の間には、図４Ａに示したように、（ＢＴ１−ＡＴ１）なる隙間（Ｓ１）がある。
【００４４】
温度（Ｔ）が上昇すると、心棒（31）およびマンドレルリング（38）は、それぞれの熱膨張係数（α１）（α２）に応じて径が大きくなる。Ｔ２＞Ｔ１を満足する任意の温度（Ｔ２）における心棒（31）の本体部（32）の外径（ＡＴ２）およびマンドレルリング（38）の内径（ＢＴ２）は、下記の（I）式および（II）式で表される。
【００４５】
ＡＴ２＝ＡＴ１×（Ｔ２−Ｔ１）×α１＋ＡＴ１  …（I）
ＢＴ２＝ＢＴ１×（Ｔ２−Ｔ１）×α２＋ＢＴ１  …（II）
ただし、α１：心棒を構成する材料の熱膨張係数
α２：マンドレルリングを構成する材料の熱膨張係数
Ｔ１：常温
Ｔ２：高温（＞Ｔ１）
ＡＴ１：常温（Ｔ１）時の心棒（本体部）の外径
ＢＴ１：常温（Ｔ１）時のマンドレルリングの内径（＞ＡＴ１）
【００４６】
ダイス温度が上昇すると、心棒（31）およびマンドレルリング（38）がそれぞれの熱膨張係数（α１）（α２）に従って膨張し、心棒（31）の本体部（32）には圧縮力が生じ、マンドレルリング（38）には周方向の引張力が生じる。そして、心棒（31）の本体部（32）の外径拡大量がマンドレルリング（38）の内径拡大量を上回るために隙間（Ｓ１）は減少していき、図４Ｂに示すように隙間（Ｓ１）が無くなるとマンドレルリング（38）は心棒（31）の本体部（32）に固定される。
【００４７】
熱膨張係数はα１＞α２であるから、図５に参照されるように、温度上昇に伴い、温度（ＴＺ）において心棒（31）の本体部（32）の外径（ＡＴＺ）とマンドレルリング（38）の内径（ＢＴＺ）が等しくなった時点で隙間（Ｓ１）が無くなり、マンドレルリング（38）は心棒（31）から外れなくなって固定された状態となる。さらに温度が上昇すると、心棒（31）の本体部（32）の外径（ＡＴ）がマンドレルリング（38）の内径（ＢＴ）を上回る。心棒（31）の本体部（32）の外径（ＡＴ）がマンドレルリング（38）の内径（ＢＴ）を上回る温度領域（Ｔ＞ＴＺ）では、心棒（31）の本体部（32）の膨張力がマンドレルリング（38）を内側から締め付ける力として作用し、マンドレルリング（38）に周方向の引張力が付与されるので、ますます心棒（31）から外れにくくなってしっかりと固定される。
【００４８】
押出時、ダイスは所定温度に加熱されて常温（Ｔ１）よりも高温となる。従って、図５に示すように、押出時のダイス温度（Ｔ２）において、心棒（31）の本体部（32）の外径（ＡＴ２）がマンドレルリング（38）の内径（ＢＴ２）と等しくなるか、心棒（31）の本体部（32）の外径（ＡＴ２）がマンドレルリング（38）の内径（ＢＴ２）を上回るように、常温（Ｔ１）時の心棒（31）の本体部（32）の外径（ＡＴ１）およびマンドレルリング（38）の内径（ＢＴ１）を設定すれば、マンドレルリング（38）を心棒（31）に固定した状態で押出を行うことができる。そして、マンドレルリング（38）が心棒（31）に固定された状態で押出を行うと、押出材（1）の偏肉が抑制されて高品質の押出材（1）を製造することができる。ただし、心棒（31）の膨張力が過剰になってマンドレルリング（38）の引張力の限界を超えるとマンドレルリング（38）が破損するので、材料の熱膨張係数（α１、α２）と押出時のダイス温度（Ｔ２）を勘案して、押出時のダイス温度（Ｔ２）において適度な引張力を生じさせるように、常温（Ｔ１）時の心棒（31）の本体部（32）の外径（ＡＴ１）およびマンドレルリング（38）の内径（ＢＴ１）を設定する。
【００４９】
ここで、任意の温度（Ｔ）における心棒（31）の本体部（32）とマンドレルリング（38）との締まり具合および緩み具合を、心棒（31）の本体部（32）の外径（ＡＴ）とマンドレルリング（38）の内径（ＢＴ）の比率に基づいて、下記（III）式の締め代（ＸＴ）として定義する。ＡＴ＜ＢＴ、即ち両者の間には隙間がある状態ではＸＴ＜０となり、締め代（ＸＴ）値が小さくなるほど緩みが大きいことを示している。一方、ＡＴ＞ＢＴ、即ち両者の間には隙間がなくマンドレルリング（38）が内側から心棒（31）の本体部（32）に締め付けられている状態ではＸＴ＞０となり、締め代（ＸＴ）の値が大きくなるほど締め付け力大きいことを示している。ＡＴ＝ＢＴ（ＸＴ＝０）は、両者に隙間はないが締め付け力が利いていない状態である。
ＸＴ（％）＝（ＡＴ／ＢＴ−１）×１００  …（III）
【００５０】
さらに、（III）式により、常温（Ｔ１）時および高温（Ｔ２）時（押出時のダイス温度）における心棒（31）の本体部（32）とマンドレルリング（38）との締め代（ＸＴ１）（ＸＴ２）は、それぞれ（IV）式および（V）式により表わされる。
ＸＴ１（％）＝（ＡＴ１／ＢＴ１−１）×１００  …（IV）
ＸＴ２＝（ＡＴ２／ＢＴ２−１）×１００
＝{〔ＡＴ１×(Ｔ２−Ｔ１)×α１＋ＡＴ１〕/〔ＢＴ１×(Ｔ２−Ｔ１)×α２＋ＢＴ１〕−1}×100  …（Ｖ）
【００５１】
心棒（31）の本体部（32）およびマンドレルリング（38）は、常温（Ｔ１）時にＡＴ１＜ＢＴ１となるように製作されるのでＸＴ１＜０となり、締め代（ＸＴ１）は両者間の隙間があって緩んだ状態を示している。一方、高温（Ｔ２）時は両者間の隙間が無くなってＡＴ２≧ＢＴ２であるから、その締め代（ＸＴ２）は０または正値となり、締め付け力が利いている状態を示している。また、ＸＴ２＜０は、高温（Ｔ２）時にも緩みがあってマンドレルリング（38）が心棒（31）に固定されていない状態を示している。
【００５２】
前記締め代（ＸＴ２）が大きくなるほど締め付け力も強くなり、マンドレルリング（38）がしっかりと固定されて外れにくくなるが、上述したように締め付け力が過度に大きくなるとマンドレルリング（38）が破損するおそれがある。また、押出時には材料流れにより押出方向の力もが加わる。これらを勘案すると、前記押出時のダイス温度（Ｔ２）における締め代（ＸＴ２）は０．３％以下が好ましい。前記締め代（ＸＴ２）が０または正値である限り下限値は規定されないが、確実に固定するために０．０５％以上が好ましい。特に好ましい締め代（ＸＴ２）は０．１５〜０．２５％である。なお、締め代（ＸＴ２）の適正範囲は、心棒（31）およびマンドレルリング（38）の材質、マンドレルリング（38）の厚み等によって異なる。
【００５３】
また、常温（Ｔ１）時の締め代（ＸＴ１）は負値である限り限定されない。心棒（31）の本体部（32）の外径（ＡＴ１）がマンドレルリングの内径（ＢＴ１）よりも小さいので、これらの組み付け作業は容易である。押出ダイスは、押出が終わって常温（Ｔ１）に冷却されると常温（Ｔ１）時の締め代（ＸＴ１）に戻って緩みが生じ、かつ心棒（31）は台座（24）に対して着脱自在であるから、心棒（31）からマンドレルリング（38）を取り外すことができる。従って、摩耗したマンドレルリングの取り外し、新しいマンドレルリングの取り付けといったメンテナンスを容易に行える。ベアリング部の寸法の異なるマンドレルリングに交換することも可能であるから、押出材の内径変更にも対応できる。また、心棒はダイスの基盤部に対して着脱自在であるから心棒のメンテナンス性も良く、心棒の交換も可能である。従って、マンドレルリングの肉厚変更や長さ変更を行う場合に、共通の基盤部を使用して心棒のみを交換することもできる。
【００５４】
本発明は、常温時における隙間の大きさが軸線方向において一定となされたマンドレルに限定するものではない。隙間の大きさが軸線方向で変化するマンドレルにおいては、常温（Ｔ１）時に隙間（Ｓ１）が最小となり押出時のダイス温度（Ｔ２）時に締め付け力が最大となる部分において、押出時のダイス温度（Ｔ２）における締め代（ＸＴ２）が０〜０．３％となるように、常温（Ｔ１）時の心棒の本体部の外径（ＡＴ１）およびマンドレルリングの内径（ＢＴ１）を設定すれば良い。その他の部分における締め代は、常温（Ｔ１）時の隙間（Ｓ１）の大きさに応じた値となる。
【００５５】
なお、図４Ａおよび図４Ｂは、径方向の熱膨張を説明するための模式図であって、軸線方向の熱膨張は表わされていない。
【００５６】
〔マンドレルリングの軸線方向における固定〕
押出中、マンドレルリングには材料の流れによって下流側に押す力が加わる。マンドレルリングは心棒によって径方向に締め付けられて固定されるが、下流側に押す力に対しては、マンドレルリングの両端面を台座の先端面と頭部に接触させて拘束し、あるいはさらに締め付けることによって軸線方向の固定安定性を高めることができる。また、押出軸方向の拘束力を加えることで、心棒の膨張力による締め付けのみで固定する場合よりも、締め代（ＸＴ２）を小さくすることができるので、締め代（ＸＴ２）の増大によるマンドレルリングの破損の危険性を回避できる。
【００５７】
本実施形態の心棒（31）は頭部（34）が本体部（32）と一体になっているので、本体部（32）の軸線方向における熱膨張に伴って頭部（34）の位置が下流側に後退する。ダイス温度が上昇すると、心棒（31）とマンドレルリング（38）の熱膨張係数の差により本体部（32）の寸法拡大量はマンドレルリング（38）の寸法拡大量を上回るので、頭部（34）による締め付け力は弱くなる方向に変化する。ダイス温度が上昇しても、図４Ｂに示すように、マンドレルリング（38）の両端が台座（24）の先端面および心棒（31）の頭部（34）に接触している限りは、相応の締め付け力が利いている。しかしながら、図６に示すように、押出時に、本体部（32）の長さがマンドレルリング（38）の長さを上回ってマンドレルリング（38）と頭部（34）との間に隙間（Ｓ２）が生じると、頭部（34）による締め付け力が利かなくなる。
【００５８】
押出時のダイス温度（Ｔ２）において頭部（34）による締め付け力を利かせるには、常温（Ｔ１）時に温度上昇による緩み量を上回る強い締め付け力を付与しておく必要がある。本実施形態のマンドレル（30）は、常温（Ｔ１）時において、心棒（31）の本体部（32）の長さ（Ｌ１）をマンドレルリング（38）の長さ（Ｌ２）よりも僅かに短く設定することによりマンドレルリング（38）の両端を台座（24）の先端面および心棒（31）の頭部（34）に接触させ、さらに雄ねじ部（36）と雌ねじ部（27）の締め具合で心棒（31）位置の微調整を行いマンドレルリング（38）に付与する締め付け力の調節を行う。また、本体部（32）は下流側部分がテーパー状に縮径されて芯合わせ部（35）へと続いているので、ねじの緊締による心棒（31）の上流側への移動はスムーズに行われる。そして、常温（Ｔ１）においてマンドレル（30）を組み立てる際に、ねじの締め具合によってマンドレルリング（38）に対する締め付け力を適宜調節しておき、押出時のダイス温度（Ｔ２）に温度上昇して締め付け力が緩んでもなお頭部（34）がマンドレルリング（38）に接触している状態を維持するようにする。
【００５９】
このように、マンドレルリング（38）に押出軸方向の締め付け力が加わることで、上述した径方向の締め代（ＸＴ２）を小さくしても、マンドレルリング（38）の固定安定性を維持することができる。ひいては、マンドレルリング（38）に付与される周方向の引張力を軽減して、締め代（ＸＴ２）の増大による破損を回避することができる。
【００６０】
なお、本実施形態では頭部(24)が本体部（32）と一体となった心棒（31）を用いているが、本発明はこのような態様に限定されない。頭部を本体部に対して固定せずに本体部に対して位置調節自在とし、軸線方向におけるマンドレルリングの締め付け力を頭部で調節するようにしても良い。さらに、本発明は頭部の存在しない心棒を除外するものでもない。
【００６１】
〔マンドレルリングの周方向における位置決め〕
マンドレルにおいては、心棒の本体部およびマンドレルリングの孔の断面形状を非円形に形成することにより、マンドレルリングの周方向の回動を阻止することができる。これにより、周方向のずれがなくなって固定安定性を高めるとともに、マンドレルリングの位置決めを行うことができる。特に、押出材の中空部の形状が円以外の場合は、周方向の位置決めが必要となるため、適用意義が大きい。非円形断面としては、角形断面、円形の一部を直線で形成した断面等である。
【００６２】
〔マンドレルの他の形状〕
図７Ａ〜図７Ｃはマンドレルの他の形状例であり、図１〜図４Ｂのマンドレル（30)とは心棒の本体部の外周形状およびマンドレルリングの内周形状が異なり、さらに芯合わせ部を有していない点が異なる。図７Ａは分解図、図７Ｂは常温（Ｔ１）時の組み立て状態を示し、図７Ｃは押出時のダイス温度（Ｔ２）における状態を示している。
【００６３】
マンドレル（40）は、心棒（41）の本体部（42）の外周面（42a）が、軸線に対し、テーパー角度（θ１）で下流側に向かって外向きに傾斜するテーパー面で形成されている。また、取付用の凸部は雄ねじ部（43）によって形成されている。一方、マンドレルリング（44）の内周面（44a）は、軸線に対し、テーパー角度（θ２）で下流側に向かって外向きに傾斜するテーパー面で形成されている。本体部（42）の外周面（42a）のテーパー角度（θ１）とマンドレルリング（44）の内周面（44a）のテーパー角度（θ２）は等しく、常温（Ｔ１）時における隙間（Ｓ１）は大きさが一定で軸線に対して傾斜している（図７Ｂ参照）。
【００６４】
前記心棒（41）を固定する台座（24）は、凹部が前記雄ねじ部（43）に対応する雌ねじ部（45）によって形成されている。前記心棒（41）は、前記雄ねじ部（43）と雌ねじ部（45）の螺合によって台座（24）に固定される。
【００６５】
前記マンドレル（40）は、図７Ｃに示す押出時のダイス温度（Ｔ２）において、隙間（Ｓ１）が無くなって本体部（42）の外周面（42a）とマンドレルリング（44）の内周面（44a）が接触する。本実施形態では両者のテーパー角度（θ１）（θ２）が等しいので、マンドレルリング（44）の内周面（44a）の全領域が本体部（42）の外周面（42a）と接触し、その接触面（46）の傾斜角度（θ３）は前記テーパー角度（θ１）（θ２）と等しくなる。
【００６６】
このように接触面（46）がマンドレル（40）の軸線に対して下流側に向かって外向きに傾斜する場合は、押出材料の流れがマンドレルリング（44）を下流側へ押そうとしても、外向きの傾斜面（接触面）がその動きを阻止する方向に作用する。従って、マンドレルリング（44）の動きが抑制されて軸線方向における高い固定安定性が得られる。
【００６７】
前記接触面（46）は僅かでも傾斜していれば上述したマンドレルリングの抑制効果が得られるので、本発明は接触面（46）の傾斜角度（θ３）を限定するものではない。ただし、接触面（46）のマンドレル（40）の軸線に対する傾斜角度（θ３）が大きくなるほどその効果は増大するので、前記傾斜角度（θ３）は０．０５〜３°が好ましく、特に０．１〜２°が好ましい。
【００６８】
接触面（46）が傾斜するマンドレル（40）においては、その傾斜方向により本体部（42）の外径およびマンドレルリング（44）の内径は下流側で大きく上流側で小さくなっている。前記接触面（46）の傾斜角度（θ３）は常温（Ｔ１）時の本体部（42）の外周面（42a）およびマンドレルリング（44）の内周面（44a）のテーパー角度（θ１）（θ２）によって決まり、接触面（46）の傾斜角度（θ３）を大きくするには前記テーパー角度（θ１）（θ２）を大きく設定するので、下流側と上流側との直径差が大きくなる。本発明のマンドレルは心棒が台座に対して着脱自在であることが必須の構成要件であり、心棒（41）の上流側からマンドレルリング（44）を嵌めることができる。即ち、マンドレルリング（44）の内径が最大となる下流側に本体部（42）の外径が最小となる上流側を挿入することになる。従って、前記テーパー角度（θ１）（θ２）を大きく設定しても心棒（41）とマンドレルリング（44）の組み立てが可能であるから、テーパー角度（θ１）（θ２）の設計の自由度が高い。
【００６９】
図示例の心棒（41）は径大の頭部（34）が本体部（42）と一体に設けられているため、前記テーパー角度（θ１）（θ２）の大小にかかわらず常に上流側からマンドレルリング（44）を嵌めるのであるが、本発明において頭部の有無は限定されず、頭部が本体部と一体であるか着脱自在であるかも限定されない。従って、頭部の無い心棒や頭部が着脱自在となされた心棒は、マンドレルリングを下流側から嵌めることもできる。しかし、マンドレルリングを下流側から嵌めるとすれば、マンドレルリングの内径が最小となる上流側に本体部の外径が最大となる下流側を挿入することになるので、前記テーパー角度（θ１）（θ２）がマンドレルリングの外嵌め可能な範囲の小さい角度に制限される。その結果、傾斜する接触面によるマンドレルリングの動きを抑制する効果も小さいものとなる。本発明における心棒はダイスの基盤部に対して着脱自在であるので、組み立ての可否によってテーパー角度（θ１）（θ２）が制限されない。ひいては、接触面の傾斜角度（θ３）を大きい角度に設定することで、軸線方向におけるマンドレルリングの固定安定性の向上を図ることができる。
【００７０】
さらに、本発明は、本体部の外周面とマンドレルリングの内周面とが全領域で接触していることにも限定されない。押出時のダイス温度において、マンドレルの軸線方向の少なくとも一部においてその隙間が無くなって両者が接触していれば、マンドレルリングは心棒からの締め付け力を受けて固定されるからである。軸線方向の一部が接触する場合の接触面の傾斜角度も限定されない。
【００７１】
また、マンドレルの軸線方向の少なくとも一部を接触させ、かつその接触面を下流側に向かって外向きに傾斜させるには、常温における心棒の本体部の外周面およびマンドレルリングの内周面のうちの少なくとも一方が、マンドレルの軸線に対して下流側に向かって外向きに傾斜するテーパー面で形成されていれば良い。従って、一方が軸線と平行で他方が下流側に向かって外側に傾斜している場合も本発明に含まれる。また、両方が軸線に対して異なるテーパー角度で傾斜している場合も本発明に含まれる。なお、図７Ａ〜図７Ｃのマンドレル（40）のように、両者のテーパー角度（θ１）（θ２）が等しい場合はそのテーパー角度（θ１）（θ２）がそのまま傾斜面（44）の傾斜角度（θ３）となるが、両者の角度が異なる場合（一方が軸線に平行である場合を含む）は、接触面の傾斜角度は、常温（Ｔ１）時の角度や材料の熱膨張率（α１、α２）の差によって決まるので、必ずしも常温時のテーパー角度と等しくはならないが傾斜方向は維持される。
【００７２】
また、両者の接触面積が大きいほど締め付け力が利いてマンドレルリングの固定安定性が向上することから、マンドレルリングの内周面の面積の２０％以上、特に５０％以上が心棒の外周面に接触することが好ましい。かかる接触面積率は、心棒およびマンドレルリングの材料選定および寸法設定によって調節できる。また、部分的に接触する場合、接触位置は常温時の隙間の狭い部分である。
【００７３】
なお、接触面の一部が下流側に向かって外向きの傾斜面であれば抜け止め効果が得られるので、接触面の全領域が傾斜面であることには限定されない。例えば、接触面の一部に、軸線に対して平行な面や逆向きの傾斜面を含んでいる場合も本発明に含まれる。
【００７４】
図８のマンドレル（50）は芯合わせ部の他の形状例である。心棒（51）の凸部（52）の芯合わせ部（53）は雄ねじ部（36）側で外径が小さくなる円錐台形であり、台座（24）の凹部（54）の芯合わせ部（55）はその内周面が凸部（52）の芯合わせ部（53）の外周面と同角度で傾斜し、雌ねじ部（27）側で内径が小さくなっている。凸部の芯合わせ部の外周面と凹部の芯合わせ部の内周面とが平行であれば高精度の芯合わせが可能であるから、その傾斜角度は限定されない。芯合わせ部は、図１〜３のマンドレル（30）のように軸線に平行であっても良いし、図８のマンドレル（50）のように軸線に対して傾斜していても良い。また、芯合わせ部における凸部と凹部との間の隙間は、芯合わせの精度を高めるために、常温時に組み立てが可能である限り可及的に小さくすることが好ましい。心棒およびダイスの基盤部の材料は同一または同等の材料を用いるので、押出時のダイス温度におけいても常温時の隙間の大きさが維持される。
【００７５】
なお、本発明において芯合わせ部の有無は任意に選択できる構成であり、図７Ａ〜図７Ｃのマンドレル（40）は芯合わせ部の無い態様である。
【００７６】
心棒の着脱構造は図示例のねじ止めに限定されないが、着脱が容易で心棒の固定安定性が高く、マンドレルリングに対する軸線方向の締め付け力の調節を容易に行える点でねじ止めを推奨できる。その他の着脱構造としてバヨネット構造を例示できる。また、基盤部に凸部を設け心棒に凹部を設けて着脱自在としたマンドレルや、凹凸結合以外の着脱構造も本発明に含まれる。
【００７７】
本発明の押出ダイスは、閉じられた中空部を有する中空材の押出のみならず、中空部の一部が開口した半中空材の押出にも適用することができる。
【００７８】
また、本発明の押出ダイスを用いて成形する材料は金属である限り何ら限定されず、アルミニウム、銅、鉄およびこれらの合金を例示できる。
【実施例】
【００７９】
以下の実施例１、２において、図１および図２に参照されるポートホールダイス（10）の雄型(20)を、マンドレルの形状を変えて製作した。各マンドレルにおける心棒およびマンドレルリングの材料は共通であり、心棒の材料は工具鋼（ＳＫＤ６１、熱膨張率：１３×１０−６／℃）であり、マンドレルリングの材料は超硬合金（ＷＣ−Ｃｏ、熱膨張率：７×１０−６／℃）である。また、ダイスの基盤部の材料は心棒と同じ工具鋼（ＳＫＤ６１）である。
【００８０】
〔実施例１〕
図３〜４Ｂに示すマンドレル（30）を製作した。
【００８１】
前記心棒（31）本体部（32）の外周面（32a）およびマンドレルリング（38）の内周面（38a）はいずれも軸線に対して平行である。また、マンドレルリング（38）を径方向に固定するために、本体部（32）の外径（ＡＴ１）およびマンドレルリング（38）の内径（ＢＴ１）を表２に示す寸法に設定した。
【００８２】
一方、軸線方向においては、表２に示すように、心棒（31）の本体部（32）の長さ（Ｌ１）をマンドレルリング（38）の長さ（Ｌ２）よりも短く設定するともに、心棒（31）の芯合わせ部（35）の長さ（Ｌ３）を台座（24）の芯合わせ部（26）の長さ（Ｌ４）よりも短く設定した。このような寸法設定により、常温（Ｔ１）時に心棒（31）の頭部（34）をマンドレルリング（38）に接触させ、かつ強い締め付け力を付与できるようにした。
【００８３】
また、心棒（31）は、凸部（33）および台座（24）の凹部（25）に軸線に平行な芯合わせ部（35）（26）を設けることによって、基盤部（21)に対して高精度の芯合わせを行えるようにした。前記芯合わせ部（35）（26）は組み立て作業のために両者の間に僅かなクリアランスを設けることとし、凸部（33）の芯合わせ部（35）の外径を（２２−０．００５）ｍｍ、凹部（25）の芯合わせ部（26）の内径を（２２＋０．００５）ｍｍに設定した。この寸法設定により、心棒（31）の軸心のずれを１０μｍ以下に納めることができる。
【００８４】
図４Ａに示すように、常温（Ｔ１）時において、マンドレルリング（38）を心棒（31）の凸部（33）側から外嵌めし、台座（24）の凹部（26）に挿入し、雄ねじ部（36）を雌ねじ部（27）に螺合させて心棒（31）を台座（24）に固定する。このとき、前記芯合わせ部（35）（26）によって心棒（31）の芯合わせがなされ、心棒（31）の本体部（32）の外周面（32a）とマンドレルリング（38）の内周面（38a）との間には、（ＢＴ１−ＡＴ１）なる隙間（Ｓ１）が存在している。
【００８５】
また、本体部（32）の長さ（Ｌ１）がマンドレルリング（38）の長さ（Ｌ２）よりも短く設定されていることで、マンドレルリング（38）の両端が心棒（31）の頭部（34）と台座（24）の先端面に挟まれて所定位置に拘束される。さらに、雄ねじ部（36）と雌ねじ部（27）の締め具合により軸線方向におけるマンドレルリング（38）の締め付け力を調節し、ダイスの温度上昇による心棒（31）の膨張によって頭部（34）とマンドレルリング（38）との間に隙間が生じないように、常温（Ｔ１）時の締め付け力を設定した。即ち、ダイス温度が上昇してもマンドレルリング（38）の両端が心棒（31）の頭部（34）および台座（24）の先端面に接触している状態を維持できるようにした。
【００８６】
このようにして組み立てたダイスを、常温（Ｔ１）からダイス温度（Ｔ２）がＴ１＋５００℃となるように加熱し、マンドレルリング（38）を心棒（31）に固定させた（図４Ｂ参照）。この温度（Ｔ２）は押出時のダイス温度に相当する。前記心棒（31）およびマンドレルリング（38）の熱膨張率および常温（Ｔ１）時の各部の寸法より計算した押出時のダイス温度（Ｔ２）における寸法を表２に示す。さらに上述した（Ｖ）式により計算した締め代（ＸＴ２）を表２に示す。
【００８７】
【表２】
2011056525.tif 000004
【００８８】
表２に示すように、押出時のダイス温度（Ｔ２）においては、心棒（31）の本体部（32）とマンドレルリング（38）との間の隙間（Ｓ１）がなくなり、マンドレルリング（38）は径方向において適度な締め代で心棒（31）に固定された。また、軸線方向においては心棒（31）の頭部（34）によって締め付け力が付与されているので、軸線方向においても安定して固定されている。
【００８９】
〔実施例２〕
図７Ａ〜図７Ｃに示すマンドレル（40）を製作した。
【００９０】
前記心棒（41）の本体部（42）の外周面（42a）およびマンドレルリング（44）の内周面（44a）は、軸線に対し、下流側に向かって外向きに傾斜するテーパー面で形成されている。本体部（42）の下流端における外径（ＡＴ１）およびマンドレルリング（44）の下流端における内径（ＢＴ１）、それぞれのテーパー角度（θ１）（θ２）を表３に示す寸法および角度に設定した。
【００９１】
一方、軸線方向においては、表３に示すように、心棒（41）の本体部（42）の長さ（Ｌ１）をマンドレルリング（44）の長さ（Ｌ２）よりも短く設定するともに、心棒（41）の雄ねじ部（43）の長さ（Ｌ５）を台座（24）の雌ねじ部（45）の長さ（Ｌ６）よりも短く設定し、常温（Ｔ１）においてマンドレルリング（44）に対して軸線方向の強い締め付け力を付与できるようにした。
【００９２】
図７Ａおよび図７Ｂに示すように、常温（Ｔ１）時において、マンドレルリング（44）を心棒（41）の雄ねじ部（43）側から外嵌めし、台座（24）の雌ねじ部（45）に螺合させて心棒（41）を台座（24）に固定すると、心棒（41）の本体部（42）の外周面（42a）とマンドレルリング（44）の内周面（38a）との間の隙間（Ｓ１）は大きさが一定で軸線に対して傾斜している。
【００９３】
また、実施例１と同じく、本体部（42）の長さ（Ｌ１）がマンドレルリング（44）の長さ（Ｌ２）よりも短く設定されていることで、雄ねじ部（43）と雌ねじ部（45）の締め具合の調節でとマンドレルリング（44）に対して軸線方向の強い締め付け力を付与することができる。
【００９４】
このようにして組み立てたダイスを、常温（Ｔ１）からダイス温度（Ｔ２）がＴ１＋５００℃となるように加熱し、マンドレルリング（44）を心棒（41）に固定させた（図７Ｃ参照）た。心棒（41）およびマンドレルリング（44）の熱膨張率および常温（Ｔ１）時の各部の寸法より計算した押出時のダイス温度（Ｔ２）における寸法を表３に示す。さらに上述した（Ｖ）式により計算した締め代（ＸＴ２）を表３に示す。
【００９５】
【表３】
2011056525.tif 000005
【００９６】
表３に示すように、押出時のダイス温度（Ｔ２）においては、心棒（41）の本体部（42）とマンドレルリング（44）との間の隙間（Ｓ１）がなくなり、軸線に対してテーパー角度（θ３）で傾斜した接触面（46）が形成される。また、マンドレルリング（44）に対し、径方向においては前記締め代（ＸＴ２）の締め付け力によって高い固定安定性が得られる。また、軸線方向においては、心棒（41）の頭部（34）による締め付け力と下流側に向かって外向きに傾斜する接触面（46）とによって、高い固定安定性が得られる。
【産業上の利用可能性】
【００９７】
本発明の押出ダイスは、中空部または半中空部を有する各種押出材の製造に利用できる。
【符号の説明】
【００９８】
１…押出材
10…ポートホールダイス
11…雌型
20…雄型（押出ダイス）
30、40、50…マンドレル
24…台座（ダイス基盤）
25、54…凹部
31、41、51…心棒
32、42…本体部
32a、42a…外周面
33、52…凸部
34…頭部
38、44…マンドレルリング
38a、44a…内周面
39…ベアリング部
26、35、53、55…芯合わせ部
36、43…雄ねじ部
27、45…雌ねじ部
46…傾斜する接触面
【図１】
2011056525.tif 000006
【図２】
2011056525.tif 000007
【図３】
2011056525.tif 000008
【図４Ａ】
2011056525.tif 000009
【図４Ｂ】
2011056525.tif 000010
【図４Ｃ】
2011056525.tif 000011
【図５】
2011056525.tif 000012
【図６】
2011056525.tif 000013
【図７Ａ】
2011056525.tif 000014
【図７Ｂ】
2011056525.tif 000015
【図７Ｃ】
2011056525.tif 000016
【図８】
2011056525.tif 000017